(57)【特許請求の範囲】
【請求項１】
ＩＭＳネットワークにアクセスし、有効なＣＤＩＶ−無条件着信転送（ＣＦＵ）状態を表示する特別な状態のダイヤルトーンを含むダイヤルトーン状態のセットのうちのひとつである、ユーザ端末の現在のダイヤルトーン状態の表示を前記ネットワークから取得し、前記端末の前記現在のダイヤルトーン状態の視覚的な表示を含むグラフィカルユーザインタフェース（ＧＵＩ）をディスプレイするように構成されることを特徴とするユーザ端末。
【請求項２】
前記ダイヤルトーン状態のセットはさらに、通常のダイヤルトーンおよびメッセージ待ちダイヤルトーンを含むことを特徴とする請求項１に記載のユーザ端末。
【請求項３】
ディスプレイされる前記現在のダイヤルトーン状態は、公衆交換電話システム（ＰＳＴＮ）エミュレーションサブシステム（ＰＥＳ）フォーマットで提供されたダイヤルトーン情報から決定されることを特徴とする請求項１または２に記載のユーザ端末。
【請求項４】
前記ダイヤルトーン情報は、アプリケーションサーバ（ＡＳ）から前記ユーザに提供されることを特徴とする請求項３に記載のユーザ端末。
【請求項５】
前記ユーザが前記ＩＭＳに登録したとき、または前記ユーザが呼の転送（ＣＤＩＶ）−無条件着信転送（ＣＦＵ）ルールを作成もしくは有効にした時、前記ＡＳから前記ダイヤルトーン情報を取得するように構成されることを特徴とする請求項４に記載のユーザ端末。
【請求項６】
前記ユーザ端末は、アプリケーションサーバと関連付けられたデータの操作をクライアントに許すインターフェースを用いて前記クライアントと相互作用する前記アプリケーションサーバのクライアントとして構成され、前記クライアントに或るサービスをどのように提供するかを定義し、前記端末の前記現在のダイヤルトーン状態の表示の取得要求を前記ネットワークに送信することができることを特徴とする請求項１乃至５のいずれか一項に記載のユーザ端末。
【請求項７】
ＩＭＳネットワークにおいて機能するアプリケーションサーバ（ＡＳ）であって、前記ＩＭＳネットワークにアクセスしているユーザ端末に、前記ＩＭＳネットワークへのユーザ登録に応じて、およびユーザによる呼の転送（ＣＤＩＶ）−無条件着信転送（ＣＦＵ）ルールの作成もしくは有効化に応じて、および前記ユーザによるＣＤＩＶ−ＣＦＵルールの無効化に応じて、前記ユーザの現在のダイヤルトーン状態に関する情報を、前記ユーザ端末が前記現在のダイヤルトーンの表示をディスプレイできるように提供するよう構成されることを特徴とするアプリケーションサーバ。
【請求項８】
公衆交換電話システム（ＰＳＴＮ）エミュレーションサブシステム（ＰＥＳ）を用いて、前記ユーザ端末の前記ダイヤルトーン状態を決定するように構成されることを特徴とする請求項７に記載のアプリケーションサーバ。
【請求項９】
ＩＭＳネットワークにアクセスしているユーザ端末のユーザに、前記ユーザ端末の現在のダイヤルトーン状態を通知することを可能にする方法であって、
前記ユーザに対する現在のダイヤルトーン状態を、有効な呼の転送（ＣＤＩＶ）−無条件着信転送（ＣＦＵ）状態を表示する特別なダイヤルトーンを含むダイヤルトーン状態のセットの中から決定する工程と、
前記ユーザ端末に前記現在のダイヤルトーン状態に関する情報を提供する工程と、
提供された前記情報に基づき、前記ユーザ端末上にグラフィカルユーザインタフェースで前記現在のダイヤルトーン状態をディスプレイする工程と
を有することを特徴とする方法。
【請求項１０】
前記ダイヤルトーン状態の情報は、公衆交換電話システム（ＰＳＴＮ）エミュレーションサブシステム（ＰＥＳ）フォーマットで提供されることを特徴とする請求項９に記載の方法。
【請求項１１】
前記ダイヤルトーン情報は、アプリケーションサーバ（ＡＳ）から前記ユーザに提供されることを特徴とする請求項９または１０に記載の方法。
【請求項１２】
前記ＩＭＳネットワークへのユーザ登録に応じて、または前記ユーザによる呼の転送（ＣＤＩＶ）−無条件着信転送（ＣＦＵ）ルールの作成もしくは有効化に応じて、前記ユーザ端末に前記現在のダイヤルトーン状態の情報が提供されることを特徴とする請求項１１に記載の方法。
【請求項１３】
前記ユーザによるＣＤＩＶ−ＣＦＵルールの無効化に応えて、前記現在のダイヤルトーン状態が通常であるという表示を提供する工程をさらに有することを特徴とする請求項１２に記載の方法。
【請求項１４】
前記ダイヤルトーン状態のセットは、さらに、通常のダイヤルトーンおよびメッセージ待ちダイヤルトーンのうち少なくともひとつを含むから選択されたダイヤルトーンであることを特徴とする請求項９乃至１３のいずれか一項に記載の方法。
【発明の詳細な説明】
【技術分野】
【０００１】
本発明は、移動通信環境におけるユーザ端末用の、ダイヤルトーン情報を有するグラフィカルユーザインタフェースに関する。
【背景技術】
【０００２】
電話システムは、存続する或る種の状態について電話のユーザに知らせるためにダイヤルトーンを使用する。例えば、「通常」のダイヤルトーンが、電話機が接続され、ユーザが電話をかけることができることを示すのに対して、代替のダイヤルトーンは、例えば、ユーザに聞かれるのを待っている新しいボイスメールメッセージが有ることを示す「メッセージ待ち」ダイヤルトーン、または時折生じることがある他の状態を示す他の「特別」なダイヤルトーンを含んでもよい。例えば、ユーザは、呼またはメッセージを転送する或る種の特別なルールを作成または有効にできてもよく、それを「特別」なダイヤルトーンで示されてもよい。この特別なダイヤルトーンは、無条件転送規則が有効であること、すなわち着信呼が無条件に例えばボイスメールまたは第３の番号に転送されるので、着信呼が端末に来ないことを示す。
【発明の概要】
【発明が解決しようとする課題】
【０００３】
従来のアナログかつ有線の公衆交換電話網（ＰＳＴＮ）では、電話機に供給される適切な電気信号でダイヤルトーンが鳴らされる。ＰＳＴＮに取って代わるネットワーク用の現在のＩＰベースの電気通信システムにおいては、ダイヤルトーン情報は、ＰＳＴＮエミュレーションサブシステム（ＰＥＳ）（ＥＴＳＩ  ＴＳ  １８３０４３、「先進ネットワークのための通信およびインターネット集中サービスとプロトコル：ＩＭＳベースのＰＳＴＮ／ＩＳＤＮエミュレーションステージ３仕様(Telecommunications and Internet Converge Services and Protocols for Advanced Networks (TISPAN); IMS based PSTN/ISDN Emulation Stage 3 specification)」参照）が取り扱う。しかし、移動端末は、ダイヤルトーンを生成しない。この理由は、番号が「一括(en block)」でダイヤルされるので、ダイヤルトーン情報を可聴情報としてエンドユーザに提示できないからである。さらに、とりわけ第３世代プロジェクトパートーナシップ（３ＧＰＰ）が開発したＩＰマルチメディアサブシステム（ＩＭＳ）の出現で、通信エンドポイントは、パーソナルコンピュータ（いわゆるＰＣクライアント）およびＰＣソフトクライアント端末などの別のタイプのユーザ装置（ＵＥ）端末であることができよう。そのような端末もダイヤルトーンを生成しないので、ネットワークは、現在のところこれらのユーザ端末にダイヤルトーン情報を提供しない。その結果、ユーザは、新しいボイスメールメッセージや他の特別な状態の存在などの、ダイヤルトーンで伝えられる情報に気付かかない。
【課題を解決するための手段】
【０００４】
本発明の第１の態様によれば、ＩＭＳネットワークにアクセスし、ネットワークから端末の現在のダイヤルトーン状態の表示を取得するように構成されたユーザ端末が提供される。端末は、端末の現在のダイヤルトーン状態の視覚的な表示を含むグラフィカルユーザインタフェースＧＵＩをディスプレイする。
【０００５】
表示される現在のダイヤルトーン状態は、通常のダイヤルトーン、特別な状態のダイヤルトーン、およびメッセージ待ちダイヤルトーンを含むダイヤルトーン状態のセットから選択されたダイヤルトーンでもよい。表示されるダイヤルトーン状態は、ＰＥＳフォーマットで提供されたダイヤルトーン情報から決定されてもよい。
【０００６】
ユーザ端末がＰＥＳシナリオで現在使用されているダイヤルトーン管理情報を利用でき、それを移動端末およびＰＣソフトクライアントにＧＵＩ形態で提示できることは利点である。従って、ネットワークからダイヤルトーンを提供されない移動端末およびＰＣソフトクライアントに、ＰＥＳダイヤルトーン管理機能が提供される。
【０００７】
ダイヤルトーン情報は、アプリケーションサーバＡＳからユーザに提供されてもよい。ユーザ端末は、ユーザがＩＭＳに登録する時、またはＣＤＩＶ−ＣＦＵルールを作成または有効にする時、ＡＳからダイヤルトーン情報を取得するように構成されてもよい。
【０００８】
ユーザ端末は、Ｕｔクライアントとして構成されてもよく、端末の現在のダイヤルトーン状態の表示の取得要求をネットワークに送信できてもよい。
【０００９】
本発明の第２の態様によれば、ユーザ端末が現在のダイヤルトーン表示を表示することができるように、現在のダイヤルトーン状態に関する情報を、ＩＭＳネットワークにアクセスしているユーザ端末に提供するように構成された、ＩＭＳネットワークにおけるアプリケーションサーバ（ＡＳ）機能が提供される。
【００１０】
ＡＳは、ＩＭＳネットワークへのユーザ登録に応えて、またはユーザによる呼の転送（ＣＤＩＶ）無条件着信転送（ＣＦＵ）ルールの作成もしくは有効化に応えて、ユーザ端末に現在のダイヤルトーン状態情報を提供するように構成されてもよい。ＡＳは、ユーザによるＣＤＩＶ−ＣＦＵルールの無効化に応えて、現在のダイヤルトーン状態が通常であるという表示を提供するように構成されてもよい。ＡＳは、ＰＥＳを用いてユーザ端末のダイヤルトーン状態を決定するように構成されてもよい。
【００１１】
本発明の第３の態様によれば、ＩＭＳネットワークにアクセスしているユーザ端末のユーザに、そのユーザ端末の現在のダイヤルトーン状態を通知することを可能にする方法が提供される。この方法は、ユーザ端末に現在のダイヤルトーン状態に関する情報を提供する工程と、取得した情報に基づきユーザ端末上にグラフィカルユーザインタフェースで現在のダイヤルトーン状態を表示する工程とを備える。
【００１２】
ダイヤルトーン状態情報は、ＰＥＳフォーマットで提供されてもよい。ダイヤルトーン情報は、アプリケーションサーバＡＳからユーザに提供されてもよい。現在のダイヤルトーン状態情報は、ＩＭＳネットワークへのユーザ登録に応えて、またはユーザによるＣＤＩＶ−ＣＦＵルールの作成もしくは有効化に応えて、ユーザ端末に提供されてもよい。方法は、ユーザによるＣＤＩＶ−ＣＦＵルールの無効化に応えて、現在のダイヤルトーン状態が通常であるという表示を提供する工程をさらに備えてもよい。
【図面の簡単な説明】
【００１３】
【図１】ＩＭＳが移動通信ネットワークをどのように統合するかを示す説明図である。
【図２】ダイヤルトーン情報がユーザ端末にどのように提供され得るかを示す信号シーケンス図である。
【図３】様々なダイヤルトーン表示を表すグラフィカルユーザインタフェースを示す図である。
【図４】様々なダイヤルトーン表示を表すグラフィカルユーザインタフェースを示す図である。
【図５】様々なダイヤルトーン表示を表すグラフィカルユーザインタフェースを示す図である。
【図６】ハードウェアコンポーネント間の関係を示す説明図である。
【図７】ユーザ端末にダイヤルトーン情報を提供する動作シーケンスを示すフロー図である。
【発明を実施するための形態】
【００１４】
ユーザのＩＭＳネットワークへのアクセスに関連する実施形態について、以下に説明する。シグナリングについては、セッション開始プロトコル（ＳＩＰ）メッセージを用いて説明する。しかし、説明する原理は、他の移動通信ネットワークおよびプロトコルにも適用し得る。
【００１５】
図１は、汎用パケット無線サービス／パケット交換（ＧＰＲＳ／ＰＳ）アクセスネットワークの場合に、ＩＭＳが移動ネットワークアーキテクチャにどのように適合するかを概略的に示す。図１に示すように、通信制御は３つの層で行われる。最下層は、接続層１０であり、信号は、この層を通して、ネットワークにアクセスしているユーザ端末（図示せず）に向かい、またユーザ端末から出て行く。ＩＭＳは、コアネットワーク１１およびサービスネットワーク１２を有する。ＩＭＳコアネットワーク１１は、接続層１０を介してＧＰＲＳネットワークと信号を送受信するノード１３と、中間の制御層１５においてＩＭＳ内のＳＩＰプロキシとして動作する呼セッション制御機能（ＣＳＣＦ）を含むネットワークノード１４とを有する。一番上は、アプリケーション層１６であり、ＩＭＳサービスネットワーク１２を有する。アプリケーションサーバ（ＡＳ）１７が、ＩＭＳサービス機能を実施するために設けられている。アプリケーションサーバ１７は、エンドユーザにサービスを提供し、ある種のアプリケーションサーバ１７は、加入者のアイデンティティ（被呼加入者または発呼加入者で、アプリケーションサーバを制御するネットワークが「所有する」どちらかの加入者）によって決まる動作を実行する。
【００１６】
図２は、ユーザ装置端末（ＵＥ）２０がＩＭＳコアネットワーク２４を介してアプリケーションサーバ（ＡＳ）２２からダイヤルトーン情報を提供されるプロセスを示す。ステップ２０１において、ユーザが、ＵＥ２０をＩＭＳ２４に登録し、これは、ステップ２０２のＳＩＰ  ２００  ＯＫメッセージの返信で完了する。１つの実施例では、ユーザは、ＡＳ２２が提供するダイヤルトーン管理情報サービスに加入する。代替実施例では、ＩＭＳネットワークは、求められていなくてもダイヤルトーン管理情報をＵＥに提供するように構成されてもよい。いずれにしても、ステップ２０３において、ＩＭＳコアネットワーク２４は、ＵＥ２０が登録されたことをＡＳに通知し、これは、ステップ２０４の２００  ＯＫメッセージで確認される。次いでステップ２０５において、ＡＳ２２は、図の事例では通常のダイヤルトーンである現在のダイヤルトーン状態の表示を有するＳＩＰ  ＮＯＴＩＦＹメッセージを送信する。状況およびネットワークシステムの特定の動作設定に応じて、ＮＯＴＩＦＹメッセージは、「メッセージ待ち」ダイヤルトーンまたは「特別」なダイヤルトーンなどの異なるダイヤルトーン状態を示してもよい。しかし、ボイスメールを示すダイヤルトーン情報は、通常、ボイスメールシステムサーバから送信され、このサーバは、ＣＦＵ（無条件着信転送）に起因するトラヒックおよびダイヤルトーン表示を扱うＡＳ２２とはたいてい異なる。それ故、最もありそうな状況は、ステップ２０５の最初のＮＯＴＩＦＹメッセージで示されるダイヤルトーン状態は「通常」であろう。
【００１７】
ステップ２０６において、ダイヤルトーン情報を有するＮＯＴＩＦＹメッセージがＩＭＳコア２４からＵＥ２０に転送され、ステップ２０７および２０８において、ＡＳ２２に返信される２００  ＯＫメッセージで受信が確認される。図２に示されていない代替実施では、ＡＳは、ＵＥがダイヤルトーン情報の供給を要求するまで、ＮＯＴＩＦＹメッセージの送信を待つように構成されてもよい。
【００１８】
ステップ２０９において、ユーザは、呼の転送（ＣＤＩＶ）−無条件着信転送（ＣＦＵ）ルールを作成または有効にする。これを行うやり方は、本システムにも本方法にも関係ないが、これは、例えばウェブポータル、Ｕｔインタフェース、または補助サービスコード(Supplementary Service Code)（例えばＥＴＳＩ  ＴＳ  １８３０２３、「先進ネットワークのための通信およびインターネット集中サービスとプロトコル：ＰＳＴＮ／ＩＳＤＮシミュレーションサービス：ＮＧＮのＰＳＴＮ／ＩＳＤＮシミュレーションサービスを操作するためのＵｔインタフェース上の拡張マークアップ言語（ＸＭＬ）構成アクセスプロトコル（ＸＣＡＰ）(Telecommunications and Internet Converged Services and Protocols for Advanced Networking (TISPAN); PSTN/ISDN simulation services; Extensible Markup Language (XML) Configuration Access Protocol (XCAP) over the Ut interface for Manipulating NGN PSTN/ISDN Simulation Services)」を参照）を用いて行ってもよい。ＣＤＩＶは、３ＧＰＰ  ＴＳ  ２４．６０４、「技術仕様グループコアネットワークおよび端末：ＩＰマルチメディア（ＩＭ）コアネットワーク（ＣＮ）サブシステムを使用する呼の転送（ＣＤＩＶ）：プロトコル仕様(Technical Specification Group Core Network and Terminals; Communication Diversion (CDIV) using IP Multimedia (IM) Core Network (CN) subsystem; Protocol specification)」に仕様が定められているメカニズムである。
【００１９】
ステップ２１０において、ＡＳは、「特別な」ダイヤルトーンを示す新しいＮＯＴＩＦＹメッセージを送信するが、この事例ではそのダイヤルトーンは、無条件ＣＤＩＶ−ＣＦＵルールが有効であることを示すダイヤルトーンであろう。これは、ステップ２１１でＵＥ２０に転送され、ステップ２１２および２１３においてＡＳ２２に確認のため戻される。
【００２０】
同様に、ステップ２１４に示すように、ユーザは、ＣＤＩＶ−ＣＦＵルールを削除または無効にする（この場合もやはり、これを行う手段は重要ではないが、上に示したルールの作成または有効化の手段のいずれでもよい。その際に、ステップ２１５において、ＡＳ２２は、ダイヤルトーン状態が通常のダイヤルトーンに戻ったことを示すＮＯＴＩＦＹメッセージを送信する。これは、ステップ２１６でＵＥ２０に転送され、ステップ２１７および２１８においてＡＳ２２に確認のため戻される。
【００２１】
代替でまたは上記に加えて（しかし、図２に示さず）、システムは、ＵＥがダイヤルトーン情報をフェッチできるように構成されてもよい。例えば、国際公開第２００９／０４９６４４号パンフレット（国際出願ＥＰ２００７／０６０９７３号明細書）は、基本Ｕｔインタフェースの拡張について述べている。Ｕｔインタフェースは、ＡＳに関係するＸＭＬデータで、かつある種のサービスをどのように加入者に提供するかを定めるＸＭＬデータを、その加入者が操作するのを可能にする。従って、ユーザは、Ｕｔインタフェースを介してＡＳ２２に現在のダイヤルトーン情報の提供を要求し得る。次いでＡＳ２２は、現在のダイヤルトーン情報を有するＮＯＴＩＦＹメッセージをＵＥ２０に送信する。注意することは、この代替に関してＵＥ２０は、Ｕｔクライアントとして構成されなければならないことである。
【００２２】
ＮＯＴＩＦＹメッセージに含まれるダイヤルトーン情報は、公衆交換電話システム（ＰＳＴＮ）エミュレーションシステム（ＰＥＳ）から提供されるフォーマットである。しかし、移動電話機またはＰＣクライアントなどの移動端末は、ダイヤルトーンを持たず、ユーザがダイヤルトーンを聞くための可聴手段（例えばスピーカ）さえ全く持たないことがある。このために、ＵＥ２０は、それを表示するグラフィカルユーザインタフェース（ＧＵＩ）を備えている。例えば、ＧＵＩは、ＰＣクライアントの画面に現れるポップアップボックスでもよい。ＧＵＩの例を図３〜図５に示す。ＧＵＩは、ユーザがそれをダイヤルトーン管理ＧＵＩと直ぐに認識し得るグラフィカルシンボル３０を有する。ダイヤルトーン表示３２は、ＡＳから送信された最新のＮＯＴＩＦＹメッセージの中で提供された情報に基づき、ＵＥの現在のダイヤルトーン状態を示す。ＧＵＩのさらなるフィールドは、ユーザがメッセージを送信するかまたは電話をかけるつもりの相手のアドレスを示すアドレスフィールド３４と、ユーザが電話をかけるときに（例えば、マウスを使用してクリックすることによって）作動し得る通話３５、取消し３６および通話終了３７のボタンとを含む。
【００２３】
図３のフィールド３２に示されるダイヤルトーン状態は、「通常の」ダイヤルトーンである。オプションで、状態が通常のダイヤルトーンのとき、これはデフォルト状態なので、ＧＵＩは、ダイヤルトーン状態を表示しないように構成されてもよい。図４のフィールド３２に示されるダイヤルトーン状態は、ユーザがＣＤＩＶ−ＣＦＵルールを作成または有効にしていることを示す「特別」なダイヤルトーンである。図５のフィールド３２に示されるダイヤルトーン状態は、ユーザに新しいボイスメールがあることを示す「メッセージ待ち」ダイヤルトーンである。
【００２４】
ステップ２０５およびステップ２１５においてＡＳ２２から送信されるＮＯＴＩＦＹメッセージは、図２に通常のダイヤルトーンと示されており、これは通常またはデフォルトのダイヤルトーンであろう。その場合、ＵＥ２０は、図３に示されるＧＵＩを表示するであろう（またはダイヤルトーン状態を全然表示しないであろう）。しかし、ユーザに聞かれるのを待っているボイスメールメッセージがあるかもしれない。ボイスメールは、別のサーバ（すなわちＡＳ２２ではない）によってたいてい取り扱われ、その場合は、ボイスメールサーバが「メッセージ待ち」ダイヤルトーン情報を含むＮＯＴＩＦＹメッセージをＵＥ２０に送信するであろう。ＵＥが、異なるダイヤルトーン状態をそれぞれ示すような２つの別個で相反するＮＯＴＩＦＹメッセージを受信した場合、「メッセージ待ち」ダイヤルトーンは「通常の」ダイヤルトーンより優先され、図５に示すＧＵＩが表示されるであろう。同様に、ステップ２１０においてＮＯＴＩＦＹメッセージが（ＣＤＩＶ−ＣＦＵルールの有効化後）送信された時に、待っているボイスメールメッセージがユーザに有った場合、システムは、あるダイヤルトーンを別のダイヤルトーンに優先させるか、または「特別な」ダイヤルトーンを適用すべきかそれとも「メッセージ待ち」ダイヤルトーンを優先すべきかに関するルールに規定された状態にダイヤルトーンを依存させるように構成されるであろう。
【００２５】
しかし、同様に可能なことは、（ボイスメールダイヤルトーン情報をＵＥに直接提供するのではなく）ボイスメールダイヤルトーン情報をＡＳ２２に提供し、すべてのＤＴＭ  ＮＯＴＩＦＹメッセージをＡＳ２２からＵＥ２０に送信するように、ネットワークを構成できることである。その場合、ＡＳ２２は、ＵＥ２０に送信すべき適切なダイヤルトーン情報を決定する。
【００２６】
図６は、システムのハードウェアを概略的に示す。図示のように、ユーザ端末６０、６１および６６は、ＩＭＳコアネットワーク６３を介してダイヤルトーン情報管理アプリケーションサーバ６２にアクセスする。ユーザ端末６０は、ＰＣクライアントとして動作するパーソナルコンピュータであり、図３〜５に示されるＧＵＩの１つのようなダイヤルトーン管理ＧＵＩ６５を表示する画面６４を有する。ユーザ端末６２は、ダイヤルトーン管理ＧＵＩ６７を表示する画面６６を有するＰＣソフト端末である。ユーザ端末６８は、ダイヤルトーン管理ＧＵＩ７０を表示する画面６９を有する移動端末である。
【００２７】
図７は、主な方法ステップを示すフロー図である。ステップ７０１において、ユーザがＩＭＳに登録し、ステップ７０２において、ＩＭＳはダイヤルトーン情報管理アプリケーションサーバ（ＤＴＭ  ＡＳ）にユーザの登録を通知する。ステップ７０３において、ＡＳは、現在のＤＴＭ状態情報をＵＥに送信する。これは、たいてい通常のダイヤルトーンの表示であるが、例えば「メッセージ待ち」ダイヤルトーンを示すことがあろう。ステップ７０４において、ＵＥは、ダイヤルトーン管理ＧＵＩ（ＤＴＭ  ＧＵＩ）に（ＡＳから通知されたように）現在のダイヤルトーンを表示する。ステップ７０５において、例えば新しいボイスメールメッセージが有るかまたはユーザがＣＤＩＶ−ＣＦＵルールを作成または有効にしたので、ＤＴＭ状態が変更される。ステップ７０６において、ＵＥは、新しいＤＴＭ状態を通知され、ステップ７０７において、ＵＥは、ＤＴＭ  ＧＵＩに新しいＤＴＭ状態を表示する。
【００２８】
上記から、ＰＥＳが提供するダイヤルトーン管理情報およびダイヤルトーン管理機能は、今や、ネットワークからダイヤルトーンを提供されない、移動端末ユーザとＰＣクライアントおよびＰＣソフトクライアント端末などの端末とから利用し得る。注意すべきは、先に参照した３ＧＰＰ  ＣＤＩＶ仕様２４．６０４は、ユーザがＣＤＩＶ状態情報を含むＳＩＰメッセージを受け取るやり方を含んでいるが、このメッセージは、電話をかけた後にだけ提供され、通話を行う前（この時、この情報を本当に知る必要がある）にユーザにダイヤルトーン状態を提供しないことである。
【図１】
0005453525.tif 000002
【図２】
0005453525.tif 000003
【図３】
0005453525.tif 000004
【図４】
0005453525.tif 000005
【図５】
0005453525.tif 000006
【図６】
0005453525.tif 000007
【図７】
0005453525.tif 000008